(57)【要約】 【課題】ＯＳが色変換処理を実行するために参照するカラープロファイル／または当該カラープロファイルに対応する出力条件を適切に更新することができる画像処理装置、画像処理装置の制御方法、およびプログラムを提供する。【解決手段】カラープロファイルおよび／またはこれに対応する出力条件が更新された場合、これら更新情報を用い、ＯＳによって色変換処理が実行されるときに参照されるカラープロファイルおよび／または当該カラープロファイルに対応する出力条件を更新する。【選択図】図１
2015133661.tif 000002
【特許請求の範囲】
【請求項１】
出力装置により出力される画像に対する色変換処理を実行可能な画像処理装置であって、
前記出力装置のためのデバイスドライバによって前記色変換処理を実行する色変換手段と、
前記色変換手段が前記色変換処理を実行するために参照するカラープロファイルを、前記出力装置が画像を出力するときの複数の出力条件のそれぞれに対応づけて記憶する記憶手段と、
前記記憶手段におけるカラープロファイルおよび／または当該カラープロファイルに対応する出力条件が更新された場合に、当該更新されたカラープロファイルおよび／または当該更新された出力条件を用いて、オペレーティングシステムによって前記色変換処理が実行されるときに参照されるカラープロファイルおよび／または当該カラープロファイルに対応する出力条件を更新する更新手段と
を備えることを特徴とする画像処理装置。
【請求項２】
前記更新手段は、所定の出力条件による出力指示が入力された場合に、前記記憶手段に記憶されており且つ当該所定の出力条件に対応する更新後のカラープロファイルを用いて、オペレーティングシステムによって前記色変換処理が実行されるときに参照されるカラープロファイルを更新することを特徴とする請求項１に記載の画像処理装置。
【請求項３】
オペレーティングシステムに前記色変換処理を実行させる第２の色変換手段を有し、
前記更新手段は、前記第２の色変換手段により色変換処理が実行されるときに参照されるカラープロファイルおよび／または当該カラープロファイルに対応する出力条件を更新することを特徴とする請求項２に記載の画像処理装置。
【請求項４】
前記出力指示が入力され前記更新手段による更新が行われる場合、前記第２の色変換手段は、前記更新後のカラープロファイルを用いて色変換処理を実行することを特徴とする請求項３に記載の画像処理装置。
【請求項５】
前記更新手段は、前記デバイスドライバによって起動されることを特徴とする請求項１ないし４のいずれか１項に記載の画像処理装置。
【請求項６】
前記記憶手段におけるカラープロファイルおよび当該カラープロファイルに対応する印刷条件の更新は、所定のアプリケーションによって新たなカラープロファイルが作成とされた際に行われることを特徴とする請求項１ないし５のいずれか１項に記載の画像処理装置。
【請求項７】
前記出力装置は画像を印刷するプリンタであることを特徴とする請求項１ないし６のいずれか１項に記載の画像処理装置。
【請求項８】
前記出力条件は前記出力装置が画像を印刷するための印刷条件であり、当該印刷条件には、前記出力装置が印刷する用紙の種類および前記プリンタが印刷する際の画像の解像度が、含まれていることを特徴とする請求項１ないし７のいずれか１項に記載の画像処理装置。
【請求項９】
前記カラープロファイルは、多次元のルックアップテーブルであることを特徴とする請求項１ないし８のいずれか１項に記載の画像処理装置。
【請求項１０】
出力装置により出力される画像に対する色変換処理を実行可能な画像処理装置の制御方法であって、
前記画像処理装置は、
前記出力装置のためのデバイスドライバによって前記色変換処理を実行する色変換手段と、
前記色変換手段が前記色変換処理を実行するために参照するカラープロファイルを、前記出力装置が画像を出力するときの複数の出力条件のそれぞれに対応づけて記憶する記憶手段と、
を有し、
前記記憶手段におけるカラープロファイルおよび／または当該カラープロファイルに対応する出力条件が更新された場合に、当該更新されたカラープロファイルおよび／または当該更新された出力条件を用いて、オペレーティングシステムによって前記色変換処理が実行されるときに参照されるカラープロファイルおよび／または当該カラープロファイルに対応する出力条件を更新することを特徴とする画像処理装置の制御方法。
【請求項１１】
請求項１乃至９のいずれか１項に記載の画像処理装置の各手段としてコンピュータを機能させるための、または請求項１０に記載の制御方法をコンピュータに実行させるためのプログラム。
【発明の詳細な説明】
【技術分野】
【０００１】
本発明は、出力装置により出力される画像に色変換処理を実行する画像処理装置、画像処理装置の制御方法、およびプログラムに関する。
【背景技術】
【０００２】
スキャナ、モニタ、プリンタなどをはじめとする画像入出力デバイスは、その種類や機種ごとに色再現範囲が異なる。例えば、色相や明度で色を表現するＬ＊ａ＊ｂ＊座標において、任意のモニタが表現可能な色空間（色再現範囲）と、カラープリンタが記録媒体に表現可能な色空間とでは、その大きさも形状も異なる。よって、モニタに表示されているカラー画像をカラープリンタで出力する場合には、モニタの色になるべく近い色が再現されるように、モニタに表示されている色の夫々について、カラープリンタで表現可能な色のいずれかに対応づける色変換処理が必要となる。このようなデバイス間の色信号の対応付け、すなわち所定の色信号をデバイスにおいてどの色信号に変換するかの対応づけは、一般にルックアップテーブルなどを用いて行われ、カラープロファイルと呼ばれている。
【０００３】
カラープロファイルは、モニタやカラープリンタなどデバイスごと用意される。また、同じカラープリンタであっても、使用するインクの種類や用紙の種類によって色再現範囲は異なるので、カラープリンタにおいては、使用するインクや用紙の種類あるいは画像品位ごとにカラープロファイルが用意されている。
【０００４】
特許文献１には、様々なカラープロファイルを記憶・管理するためのプロファイル管理サーバを用意し、複数の印刷業者と複数のデザイン・製作会社の間で、カラープロファイルの更新をスムーズに行うための構成が開示されている。特許文献１によれば、印刷会社のパーソナルコンピュータでカラープロファイルの更新登録が行われた場合、プロファイル管理サーバが、デザイン・製作会社のパーソナルコンピュータにダウンロードされているカラープロファイルを、自動更新する。
【先行技術文献】
【特許文献】
【０００５】
【特許文献１】特開２００３−１１０８５７号公報
【発明の概要】
【発明が解決しようとする課題】
【０００６】
特許文献１に記載の技術では、新たに利用するカラープロファイルの登録時に色変換部が利用するカラープロファイルを新たなカラープロファイルで置き換える。しかしながら、その更新が、オペレーティングシステム（ＯＳ）のカラープロファイルに関連する機能を利用するための設定ファイルに反映されないことがある。そのため、カラープロファイルの更新を行ったとしても、ＯＳにより色変換処理を行う場合、その更新後のカラープロファイルが用いられないことがある。
【０００７】
本発明は、上記問題点を解決するためになされたものである。よって、その目的とするところは、ＯＳが色変換処理を実行するために参照するカラープロファイル／または当該カラープロファイルに対応する出力条件を適切に更新することができる画像処理装置、画像処理装置の制御方法、およびプログラムを提供することである。
【課題を解決するための手段】
【０００８】
そのために本発明は、出力装置により出力される画像に対する色変換処理を実行可能な画像処理装置であって、前記出力装置のためのデバイスドライバによって前記色変換処理を実行する色変換手段と、前記色変換手段が前記色変換処理を実行するために参照するカラープロファイルを、前記出力装置が画像を出力するときの複数の出力条件のそれぞれに対応づけて記憶する記憶手段と、前記記憶手段におけるカラープロファイルおよび／または当該カラープロファイルに対応する出力条件が更新された場合に、当該更新されたカラープロファイルおよび／または当該更新された出力条件を用いて、オペレーティングシステムによって前記色変換処理が実行されるときに参照されるカラープロファイルおよび／または当該カラープロファイルに対応する出力条件を更新する更新手段とを備えることを特徴とする。
【発明の効果】
【０００９】
本発明によれば、ＯＳが色変換処理を実行するために参照するカラープロファイル／または当該カラープロファイルに対応する出力条件を適切に更新することができる。
【図面の簡単な説明】
【００１０】
【図１】実施例１で使用する印刷システムのソフトウェア構成を示す図である。
【図２】実発明で使用可能な印刷システムのハードウェアの構成を示す図である。
【図３】（ａ）〜（ｄ）は、プリンタドライバ構成ファイルの記憶状態を示す図である。
【図４】（ａ）〜（ｃ）は、印刷設定ダイアログの表示画面の例である。
【図５】各コンボボックスで選択可能なパラメータを示す図である。
【図６】印刷条件とカラープロファイルの対応情報を示す図である。
【図７】実施例１における更新工程を説明するためのフローチャートである。
【図８】実施例２における更新工程を説明するためのフローチャートである。
【図９】（ａ）および（ｂ）は、実施例２で表示されるダイアログを示す図である。
【図１０】実施例３における更新工程を説明するためのフローチャートである。
【図１１】実施例３で表示されるダイアログを示す図である。
【発明を実施するための形態】
【００１１】
［実施例１］
図１は、本実施例で使用する印刷システムのソフトウェア構成を示す図である。本実施例の印刷システムは、ホストＰＣ１０１とこれに接続するプリンタ１０２によって構成されている。ユーザは、ホストＰＣ１０１にインストールされているアプリケーション１０３を用いて画像を作成し、作成した画像の印刷をプリンタに指示することが出来る。
【００１２】
このような印刷指示を行う場合、例えばアプリケーション１０３と同じくホストＰＣにインクストールされているプリンタドライバ１０４が起動される。そして、ユーザはこのプリンタドライバのＵＩを通して用紙の種類や画像品位などの様々な項目を設定した上で、印刷開始コマンドを発信する。プリンタドライバ１０４は、設定された項目に従って、アプリケーション１０３から受け取った画像データに対して後述する色変換処理を含む様々な画像処理を施し、プリンタ１０２が受信可能なフォーマットに画像データを整えた後、プリンタ１０２に送信する。なお、プリンタ１０２においては、上記のプリンタドライバ１０４における設定に応じたインクを用いて印刷が実行される。例えばユーザがモノクロ印刷を指定した場合、黒やグレー等のインクが、カラー印刷よりも多く用いられる。またユーザが設定した印刷品位に応じたインクが用いて印刷が実行される。
【００１３】
ＣＭＭ（カラーマネージメントモジュール）１０５は、ホストＰＣのモニタやプリンタ１０２のようなデバイス間のカラーマッチングを図るために、色変換処理を行う機構である。本実施例において、ＣＭＭ１０５は、ＯＳ（オペレーティングシステム）によって提供されるＯＳ提供ＣＭＭ１０５ａと、アプリケーション１０３やプリンタドライバ１０４のベンダーによって提供されるベンダー提供ＣＭＭ１０５ｂと、の両方が備わっている。プリンタドライバ１０４においては、アプリケーション１０３から受け取った画像データに対する色変換処理を、ベンダー提供ＣＭＭ１０５ｂもしくはＯＳ提供ＣＭＭ１０５ａを用いて実行可能になっている。
【００１４】
ＣＭＭ１０５は、例えば変換用の多次元ルックアップテーブル形態のカラープロファイルを参照することによって、アプリケーションで作成された画像の色変換処理を行う。このようなルックアップテーブルすなわちカラープロファイルは、デバイスの種類ごとに、また同じデバイス（プリンタ）であっても記録する用紙やインクなどに対応づけて、予め複数の種類が用意されている。即ち、ユーザが設定する印刷設定（用紙種類、印刷品位等）や、印刷に使用されるプリンタといった印刷条件に対応するカラープロファイルが用意されている。
【００１５】
プリンタドライバ１０４のベンダー提供ＣＭＭ１０５ｂが使用するカラープロファイルは、後述する補助記憶装置２０５に設けられているカラープロファイル記憶領域１０６に記憶されている。一方、ＯＳ提供ＣＭＭ１０５ａが使用するカラープロファイルは、後述する補助記憶装置２０５に記憶されているプリンタドライバ構成ファイル１０７に記憶されている。プリンタ１０２がサポートしている用紙やインクに対応するカラープロファイルについては、プリンタドライバ１０４がインストールされる時に、カラープロファイル記憶領域１０６に同時にインストール（記憶）される。
【００１６】
対応情報記憶部１０８には、個々の印刷条件と使用すべきカラープロファイルとの対応関係が記憶されている。プリンタドライバ１０４はプリンタに印刷を実行させる際、対応情報記憶部１０８を参照し、当該印刷における印刷条件に対応するカラープロファイルをカラープロファイル記憶領域１０６に記憶されている複数のカラープロファイルの中から選択する。そして、これをベンダー提供ＣＭＭ１０５ｂに受け渡す。ベンダー提供ＣＭＭ１０５ｂは、受け渡されたカラープロファイルを用いて色変換処理を行う。このような印刷条件とカラープロファイルとの対応情報についても、プリンタ１０２がサポートしている印刷条件については、プリンタドライバ１０４がインストールされる際に、対応情報記憶部１０８に記憶される。一方、ＯＳ提供ＣＭＭ１０ａが使用するカラープロファイルと印刷条件との対応付けは、カラープロファイルと同様の記憶形式で、プリンタドライバ構成ファイル１０７に記憶されている。
【００１７】
メディア管理アプリケーション１１０は、プリンタがデフォルトでサポートしない用紙等、新たな印刷条件に応じたカラープロファイルを、メディア管理アプリケーション１１０もしくはプリンタドライバ１０４のＵＩを介して入力したユーザ指示に応じて作成する。そして、メディア管理アプリケーション１１０は、その作成されたカラープロファイルを、カラープロファイル記憶領域１０６に記憶する。本実施例において、カラープロファイル記憶領域１０６に新たに記憶されたカラープロファイルを、ＯＳ提供ＣＭＭ１０５ａが色変換処理に用いることができるように、カラープロファイル設定更新制御部１０９が処理を行う。具体的には、カラープロファイル設定更新制御部１０９は、ＯＳ提供ＣＭＭ１０５ａがその新たなカラープロファイルを参照できるように、そのカラープロファイルをプリンタドライバ構成ファイル１０７に追加する。
【００１８】
なお、ＯＳ提供ＣＭＭ１０５ａで色変換処理を行う場合、ＯＳは、プリンタドライバ１０４で設定された印刷条件に基づいて、プリンタドライバ構成ファイル１０７に記憶されている複数のカラープロファイルの中から１つのカラープロファイルを選択する。プリントキューを登録する場合も、プリンタドライバ構成ファイル１０７に登録されている内容に従ってプリントデータを作成する。
【００１９】
図２は、本実施例で使用する印刷システムのハードウェアの構成を示す図である。ＣＰＵを備えた中央処理装置２０１、ＲＡＭなどの記憶装置２０２、マウスやキーボード等の入力装置２０３、ＣＲＴやＬＣＤなどの表示装置２０４、ハードディスクや光磁気ディスク等の補助記憶装置２０５は、内部バスラインＩＢにより接続されている。また、これらを備えたホストＰＣ１０１に対し、プリンタ１０２がバスラインＢＬを介して外部接続されている。なお、表示装置２０４や入力装置２０３は、ホストＰＣ１０１に内蔵されている場合に限らず、ホストＰＣ１０１に接続される外部のデバイスであってもよい。
【００２０】
図１で説明した各種ソフトウェアに対応するプログラムは、補助記憶装置２０５に記憶され、中央処理装置２０１によって当該プログラムが実行されることでソフトウェアが起動される。具体的には、中央処理装置２０１は、補助記憶装置２０５に記憶された、ＯＳやプリンタドライバなどの各種ソフトウェアのプログラムに従って、記憶装置２０２をワークエリアとして使用しながら、システム全体を制御しつつ各種処理を実行する。
【００２１】
表示装置２０４は、アプリケーション１０３やプリンタドライバ１０４を介してユーザに情報を提供する。ユーザは、当該情報を確認しながら、入力装置２０３を介して、各種コマンドや情報の入力を行う。なお、図４、図９を用いて後述する表示画面は、中央処理装置２０１により表示装置２０４に表示される。
【００２２】
図３（ａ）〜（ｄ）は、対応情報記憶部１０８またはプリンタドライバ構成ファイル１０７に記憶されている、印刷条件と使用すべきカラープロファイルとの対応関係を示す図である。ここでは、プリンタドライバ１０４を介して設定される印刷条件に対応する２つのキー、すなわち用紙の種類を示す“Ｍｅｄｉａ”と、画像の解像度を示す“Ｒｅｓｏｒｕｔｉｏｎ”の組み合わせに応じたカラープロファイルが指定されている。例として、図３（ａ）の１行目を参照して説明する。ここでは、“Ｍｅｄｉａ”として“ＧｌｏｓｓｙＰｈｏｔｏ”、“Ｒｅｓｏｒｕｔｉｏｎ”として“３００×３００ｄｐｉ”が設定された場合を示している。そしてこの場合には、色変換処理に使用されるカラープロファイルとして“ＧｌｏｓｓｙＰｈｏｔｏ３００.ｉｃｃ”というファイル名のカラープロファイルが対応されることを示している。この際、ユーザに対しては、当該ファイルに対応する「ＧｌｏｓｓｙＰｈｏｔｏ３００ｄｐｉＰｒｏｆｉｌｅ」という名称が、プリンタドライバを介して表示される。ユーザは、この表示を確認することによって、どのようなカラープロファイルが使用されるかを知ることが出来る。このような、印刷条件とカラープロファイルの対応付けは、サポート可能な“Ｍｅｄｉａ”と“Ｒｅｓｏｒｕｔｉｏｎ”の組み合わせに対して、図のように１行ずつ並列して記憶されている。
【００２３】
またベンダー提供ＣＭＭ１０５ｂは、対応情報記憶部１０８に記憶されている上記カラープロファイルのファイル名に従って、カラープロファイル記憶領域１０６から当該カラープロファイルを読み出し、色変換処理に用いることができる。同様に、ＯＳ提供ＣＭＭ１０５ａも、プリンタドライバ構成ファイル１０７に記憶されているカラープロファイルのファイル名に従って、プリンタドライバ構成ファイル１０７に記憶されているカラープロファイルを色変換処理に使用する。
【００２４】
アプリケーション１０３で作成した画像をプリンタ１０２より出力させる場合、ユーザは、アプリケーション１０３のメニュー等から印刷指示を行い、印刷設定ダイアログを起動する。
【００２５】
図４（ａ）〜（ｃ）は、印刷設定ダイアログの表示画面の例である。ユーザは、設定メニュー４０１によって、プリンタドライバ１０４が提供するＵＩ画面とＯＳが提供するＵＩ画面との切り替えを行うことができる。設定メニュー４０１で「基本設定」を選択した場合、図４（ａ）のようなプリンタドライバ１０４が提供する基本設定用のＵＩ画面が表示される。当該画面において、「用紙の種類」コンボボックス４０２では、プリンタが対応可能な複数の用紙の種類の中から１つを選択することが出来るようになっており、この設定によって“Ｍｅｄｉａ”のキーが設定される。一方、「印刷品質」コンボボックス４０３では、プリンタが記録可能な複数の解像度の中から１つを選択することが出来るようになっており、この設定によって“Ｒｅｓｏｒｕｔｉｏｎ”のキーが設定される。
【００２６】
図５は、各コンボボックスで選択可能なパラメータとこれに対応する値の対応関係を示す図である。「用紙の種類」コンボボックス４０２では、「コート紙」を選択すると“ＣｏａｔｅｄＰａｐｅｒ”が、「フォト光沢紙」を選択すると“ＧｒｏｓｓｙＰｈｏｔｏ”が、「プレミアム光沢紙」を選択すると“ＰｒｅｍｉｕｍＧｌｏｓｓｙ”が、キーとして設定される。「印刷品質」コンボボックス４０３では、「３００ｄｐｉ」を選択すると“３００×３００ｄｐｉ”が、「６００ｄｐｉ」を選択すると“６００×６００ｄｐｉ”が、キーとして設定される。
【００２７】
コンボボックス４０２及び４０３で表示されたキーのもと、図４（ａ）表示の状態でプリントボタン４０４がクリックされると、対応情報記憶部１０８に記憶されている複数の対応情報から、上記２つのキーの組み合わせに対応するカラープロファイルが選定される。そして選定されたカラープロファイルが、色変換用のカラープロファイルとしてカラープロファイル記憶部１０６から読み出され、ベンダー提供ＣＭＭ１０５ｂが当該プロファイルを用いて色変換処理を行ってプリントデータを作成する。なお、キャンセルボタン４０５がクリックされると、現在のジョブがキャンセルされる。
【００２８】
一方、設定メニュー４０１で「カラーマッチング」を選択した場合は、ＯＳが提供するＵＩ画面が設定され、表示画面は図４（ｂ）のようになる。「利用するＣＭＭ」コンボボックス４０６では、使用可能な２つのＣＭＭ、すなわちＯＳ提供ＣＭＭ１０５ａとプリンタドライバ１０４のベンダーが提供するベンダー提供ＣＭＭ１０５ｂのうち、一方を選択することが出来るようになっている。ここで、ユーザがベンダー提供ＣＭＭｂを選択した場合、プリンタドライバの提供する、カラープロファイル記憶領域１０６内のカラープロファイルが使用されることが決定され、プロファイルコンボボックス４０７は無効になる。一方、ＯＳ提供ＣＭＭ１０５ａを選択した場合、ユーザは、プロファイルコンボボックス４０７によって、カラープロファイルの設定を「自動」で行うか「手動」で行うかを選択することが出来るようになる。「手動」を選択した場合、ユーザは複数のカラープリファイルの中から好みのプロファイルを選択し設定することが出来る。
【００２９】
「自動」が選択された場合、ＯＳは、まず、プリンタドライバ構成ファイル１０７に記憶されている図３（ａ）で示した対応情報を参照し、“Ｍｅｄｉａ”および“Ｒｅｓｏｒｕｔｉｏｎ”に設定されている値に基づいて、使用すべきカラープロファイルを決定する。例えば、図４（ａ）で説明した基本設定のように、“Ｍｅｄｉａ”キーは“ＧｒｏｓｓｙＰｈｏｔｏ”（フォト光沢紙）に、“Ｒｅｓｏｒｕｔｉｏｎ”キーは“６００×６００ｄｐｉ”に設定されていた場合を考える。この場合、図４（ｂ）の画面のプロファイルコンボボックス４０７で「自動」が選択されると、図３（ａ）で示した対応関係から“ＧｌｏｓｓｙＰｈｏｔｏ６００.ｉｃｃ”というファイルが選択される。そして、「ＧｌｏｓｓｙＰｈｏｔｏ６００ｄｐｉＰｒｏｆｉｌｅ」と言う名称が、プロファイルコンボボックス４０７下部に表示される。
【００３０】
もし、プリンタドライバ構成ファイル１０７に、“Ｍｅｄｉａ”キーと“Ｒｅｓｏｒｕｔｉｏｎ”キーの組み合わせに対応するカラープロファイルが存在しない場合、プロファイルコンボボックス４０７下部には図４（ｃ）の様に「プロファイル不明」が表示される。そして、ＯＳ提供ＣＭＭが利用するカラープロファイルとして、デフォルトで用意されているカラープロファイルが設定される。ユーザが、デフォルトで設定されているカラープロファイルでは好ましくないと判断した場合、プロファイルコンボボックス４０７を「手動」に切り替え、複数のカラープリファイルの中から好ましいものを選択することが出来る。
【００３１】
コンボボックス４０６および４０７で表示された設定のもと、プリントボタン４０４がクリックされると、コンボボックス４０６で設定されたＣＭＭがコンボボックス４０７で設定されたカラープロファイルを用いて色変換処理を行い、プリントデータを作成する。一方、キャンセルボタン４０５がクリックされると、現在のジョブおよび設定がキャンセルされる。
【００３２】
以下、プリンタがデフォルトでサポートしていない用紙などのための新たなカラープロファイルの設定および使用について説明する。新たな印刷条件に対応するカラープロファイルは、プリンタドライバを介してメディア管理アプリケーション１１０を用いて作成することが出来る。この際、ユーザはプリンタドライバのＵＩ画面において、用紙の種類など印刷条件となる複数のパラメータとともに、新たに作成するカラープロファイルの「ファイル名」および「名称」を入力する。メディア管理アプリケーション１１０は、入力されたパラメータに合わせた印刷条件で、プリンタ１０２に、複数のカラーパッチが配列された所定のテストパターンを印刷させる。そして、これら複数のカラーパッチの夫々を測色機が測色し、個々のパッチを記録する際の色信号と測色された色信号の対応関係から、メディア管理アプリケーション１１０が色信号を新たな色信号に変換するためのルックアップテーブルを作成する。その後、メディア管理アプリケーション１１０は、作成したルックアップテーブルを、設定されたファイル名でカラープロファイル記憶領域１０６に記憶する。また、メディア管理アプリケーション１１０は、ユーザによって入力された印刷条件や名称および新たに作成されたカラープロファイルのファイル名の対応情報を作成し、対応情報記憶部１０８に記憶する。
【００３３】
図６は、ユーザが入力する印刷条件と新たに作成したカラープロファイルの対応情報を示す図である。ここでは、ユーザがメディア管理アプリケーション１１０を用いて、用紙の種類を「フォト光沢紙」に、印刷品質を「６００ｄｐｉ」にそれぞれ設定した場合を示している。そして、メディア管理アプリケーション１１０がその印刷条件に従ってテストパターンをシートに印刷し、シート上のテストパターンを測色器が測色する。その測色結果により、メディア管理アプリケーション１１０がカラープロファイルを作成する。これにより、“Ｍｅｄｉａ”キーは“ＧｌｏｓｓｙＰｈｏｔｏ”に、“Ｒｅｓｏｒｕｔｉｏｎ”キーは“６００×６００ｄｐｉ”に設定される。また、図６では、上記のように新たに作成したカラープロファイルのファイル名を“ＭｙＧｒｏｓｓｙＰｈｏｔｏ６００.ｉｃｃ”とし、「名称」を“ＭｙＧｒｏｓｓｙＰｈｏｔｏ６００ｄｐｉＰｒｏｆｉｌｅ”とした場合を示している。２つのキー“ＧｌｏｓｓｙＰｈｏｔｏ”と“６００×６００ｄｐｉ”の組み合わせに対し、ファイル名“ＭｙＧｒｏｓｓｙＰｈｏｔｏ６００.ｉｃｃ”および名称“ＭｙＧｒｏｓｓｙＰｈｏｔｏ６００ｄｐｉＰｒｏｆｉｌｅ”が対応づけて記憶されている。
【００３４】
これにより、新たなカラープロファイルが作成されて、カラープロファイル記憶領域１０６および対応情報記憶部１０８の情報が更新されるため、ベンダー提供ＣＭＭ１０５ｂはこの新たなカラープロファイルを用いて色変換処理を行うことができる。しかしながら、ＯＳ提供ＣＭＭ１０５ａが使用する環境においては、未だ更新が行われていない。このような状態で、ユーザが図４（ｂ）の画面でＯＳ提供ＣＭＭ１０５ａを選択し、更にプリントボタンをクリックしてしまうと、更新前のカラープロファイルで色変換された画像が出力されてしまうことになる。本実施例では、このような状況を回避するため、カラープロファイル設定更新制御部１０９を用意している。そして、プリンタドライバを介して新たなカラープロファイル情報が更新された際には、ＯＳ提供ＣＭＭ１０５ａが使用するドライバ構成ファイル１０７についても更新を行う。これによりＯＳ提供ＣＭＭ１０５ａを使用する場合であっても更新後のカラープロファイルが適切に使用出来るようにしている。以下、詳細に説明する。
【００３５】
図７は、カラープロファイル設定更新制御部１０９が実行する更新処理を説明するためのフローチャートである。本処理は、図４（ｂ）においてプリントボタン４０４が押下され、プリントキューが登録されたときに実行される。本処理が開始されると、カラープロファイル設定更新制御部１０９は、まずＳ１０１において、対応情報記憶部１０８における情報の更新が行われたか否かを判断する。情報更新が確認されると、Ｓ１０２に進む。Ｓ１０１で「Ｎｏ」と判定された場合、既にプリンタドライバ構成ファイル１０７に記憶されているカラープロファイルを用いればよいため、処理を終了する。なお、Ｓ１０１の判定処理では、カラープロファイル設定更新制御部１０９が、メディア管理アプリケーション１１０にカラープロファイルの更新の問合せを行う。そして、メディア管理アプリケーション１１０からメディア管理アプリケーション１１０に更新が通知された場合、カラープロファイルの更新があったものと判定する。
【００３６】
Ｓ１０２において、カラープロファイル設定更新制御部１０９は、対応情報記憶部１０８を検索し、変更または追加された対応情報を取得する。また、当該対応情報で対応付けされている新たなカラープロファイルを、カラープロファイル記憶領域１０６より取得する。なお、上記Ｓ１０１における通知には、更新が行われたカラープロファイルに対応する対応情報が含まれており、カラープロファイル設定更新制御部１０９は、その対応情報に従って更新が行われたカラープロファイルを取得する。具体的に説明すると、上記例の場合、対応情報記憶部１０８では、“ＧｌｏｓｓｙＰｈｏｔｏ”と“６００×６００ｄｐｉ”の組み合わせに対応するファイル名および名称が変更されている。よって、カラープロファイル設定更新制御部１０９は、上記新たな対応情報を取得した上で、カラープロファイル記憶領域１０６を検索し、ファイル名が“ＭｙＧｒｏｓｓｙＰｈｏｔｏ６００.ｉｃｃ”であるデータファイルを取得する。  続くＳ１０３において、カラープロファイル設定更新制御部１０９は、Ｓ１０２で取得した新たな対応情報と新たなカラープロファイルを、プリンタドライバ構成ファイル１０７上に反映させこれを更新する。図３（ｂ）は、上記例の場合に、カラープロファイル設定更新制御部１０９がプリンタドライバ構成ファイル１０７の対応情報に反映させた結果を示している。 ２行目に示す“ＧｌｏｓｓｙＰｈｏｔｏ”キーおよび“６００×６００ｄｐｉ”キーの組み合わせに対し、ファイル名“ＭｙＧｒｏｓｓｙＰｈｏｔｏ６００.ｉｃｃ”と名称“ＭｙＧｒｏｓｓｙＰｈｏｔｏ６００ｄｐｉＰｒｏｆｉｌｅ”が対応づけられている。なお、この対応情報は、メディア管理アプリケーション１１０により既に対応情報記憶部１０８に反映されているため、対応情報記憶部１０８とプリンタドライバ構成ファイル１０７で同期がとれたことになる。
【００３７】
Ｓ１０４において、カラープロファイル設定更新制御部１０９は、更新後のプリンタドライバ構成ファイル１０７を用い、アプリケーション１０３がプリンタドライバ１０４を介しプリンタ１０２に印刷を行わせるために指定するプリントキューを再登録する。この再登録により、更新後のプリンタドライバ構成ファイル１０７において当該印刷条件に対応するカラープロファイルが、ＯＳが提供するＣＭＭによる色変換処理に用いられる。
【００３８】
なお再登録の方法は、ＯＳが用意しているプリントキューの登録コマンドを利用する。またＳ１０４でカラープロファイル設定更新制御部１０９は、図７の処理を開始するときに登録されたプリントキューを、ＯＳが用意しているプリントキューの削除コマンドを利用して削除する。この時、プリンタドライバ１０４が他のアプリケーションによって使用中である場合は、使用中のアプリケーションを一度終了するようにユーザに告知する、或いはシステムの次回再起動時までプリントキューの再登録を遅延させる。プリントキューを正常に登録できる状態になったら、ＯＳが用意するプリントキューの登録コマンドを利用し、更新されたプリンタドライバ構成ファイル１０７を用いてプリントキューを再登録する。以上で本処理が終了する。
【００３９】
図７に示したＳ１０３における処理より、次回、アプリケーション１０３で作成した画像をプリンタドライバ１０４を介してプリントする際ユーザがＯＳ提供ＣＭＭを選択した場合は、図３（ｂ）の様に更新されたプリンタドライバ構成ファイル１０７が使用される。よって、メディア管理アプリケーション１１０により追加された新たなカラープロファイルを用いて色変換処理を行うことができる。すなわち、各コンボボックスにおいて、図４（ａ）及び（ｂ）のような設定がなされた場合、ＯＳの提供するＣＭＭが、” ＭｙＧｒｏｓｓｙＰｈｏｔｏ６００ｄｐｉＰｒｏｆｉｌｅ”というファイル名で格納されているカラープロファイルを用いて色変換処理を行う。その結果、ＯＳ提供ＣＭＭを利用する場合であっても、ユーザが新たに作成したカラープロファイルを用いた適切な色変換処理を行うことが出来る。結果、ユーザは、プリンタドライバを介して好みのカラープロファイルを一度設定すれば、いずれのＣＭＭを使用する場合であっても、メディア管理アプリケーション１１０により更新されたカラープロファイルを用いて色変換を行うことができる。
【００４０】
さらに、図７に示したＳ１０４における処理により、以下のことが可能となる。即ち、ユーザがプリント指示を行った後、ユーザ自身がプリントキューの再登録を行わなくても、カラープロファイル記憶領域１０６に当該印刷条件に対応するカラープロファイルが更新されていた場合、そのカラープロファイルを当該印刷に用いることができる。
【００４１】
［実施例２］
本実施例では、印刷条件に対してユーザが任意のカラープロファイルを選択し、そのカラープロファイルをプリンタドライバ構成ファイル１０７に追加する構成について説明する。図１で示した他の構成については、実施例１と同様に備えるものとする。本実施例において、カラープロファイル設定更新制御部１０９は、以下の所定のタイミングで起動される。すなわち、ユーザが新たなカラープロファイルを作成するためにメディア管理アプリケーション１１０を起動させた時、プリンタドライバのＵＩ上に設けられたボタンをクリックした時、図４（ｂ）に示した画面でユーザが印刷指示を行った時等に起動される。
【００４２】
図８は、本実施例において、カラープロファイル設定更新制御部１０９が実行する処理を説明するためのフローチャートである。本処理が開始されると、カラープロファイル設定更新制御部１０９は、まずＳ２０１において、所定のダイアログを表示し、ユーザの入力によって、印刷条件とこれに対応するカラープロファイル名の情報を取得する。
【００４３】
図９（ａ）および（ｂ）は、Ｓ２０１で表示されるダイアログを示す図である。デフォルトでは図９（ａ）に示す表示がなされ、ユーザは新たに作成したカラープロファイルに対応する印刷条件の入力を行う。コンボボックス８０１では「用紙の種類」を選択する。ここでは例として「コート紙」が設定されたとする。また、コンボボックス８０２では「印刷品質」を選択する。ここでは例として「３００ｐｐｉ」が設定されたとする。このような選択が完了した後、ユーザが選択ボタン８０３をクリックすると、ダイアログの表示は図９（ｂ）の状態に切り替わる。図９（ｂ）では、カラープロファイル記憶領域１０６に記憶されているカラープロファイルが選択候補として表示される。なお、選択候補として例えばユーザが追加したカラープロファイルに絞り込んで表示を行ってもよい。
【００４４】
ユーザは、ファイルリスト８０７に列挙された複数のプロファイル名の中から、図９（ａ）のコンボボックスで設定した印刷条件に対応するプロファイルを選択する。ここでは例として「ＭｙＰｒｏｆｉｌｅ２.ｉｃｃ」が設定されたとする。その後、「開く」ボタン８０８をクリックすることにより、図９（ａ）のコンボボックスで設定した印刷条件と図９（ｂ）のファイルリスト８０７で選択したカラープロファイルとの対応付けが完了する。ダイアログ表示は、再び図９（ａ）の状態に戻り、各コンボボックスで設定されている印刷条件の組み合わせに対応づけられたカラープロファイルの「ファイル名」と「名称」が、選択プロファイル情報表示欄８０４に表示される。ここでは、「ファイル名」として“ＭｙＰｒｏｆｉｌｅ２.ｉｃｃ”が、「名称」として“Ｍｙ  Ｃｏｒｔｅｄ  Ｐａｐｅｒ  ３００ｄｐｉ  Ｐｒｏｆｉｌｅ”が表示されている。更にユーザが「ＯＫ」ボタン８０５をクリックすることにより、上記対応付けは完了し、ダイアログは閉じられる。作業の途中で「キャンセル」ボタン８０６がクリックされた場合は、現在選択している項目を無効として設定ダイアログを閉じ、図８に示すフローチャートの工程も中断する。このような、ダイアログ表示を介したユーザによる入力が完了すると、Ｓ２０２へ進む。
【００４５】
Ｓ２０２において、カラープロファイル設定更新制御部１０９は、Ｓ２０１で選択されたカラープロファイルと、図９（ａ）における設定から作成した対応情報を、プリンタドライバ構成ファイル１０７上に反映させこれを更新する。図３（ｃ）は、上記例の場合に、カラープロファイル設定更新制御部１０９がプリンタドライバ構成ファイル１０７の対応情報に反映させた結果を示している。 ３行目に示す“ＣｏｒｔｅｄＰａｐｅｒ”キーおよび“３００×３００ｄｐｉ”キーの組み合わせに対し、名称“Ｍｙ  Ｃｏｒｔｅｄ  Ｐａｐｅｒ  ３００ｄｐｉ  Ｐｒｏｆｉｌｅ”とファイル名“ＭｙＰｒｏｆｉｌｅ２.ｉｃｃ”が対応づけられている。
【００４６】
Ｓ２０３において、カラープロファイル設定更新制御部１０９は、更新後のプリンタドライバ構成ファイル１０７を用い、アプリケーション１０３がプリンタドライバ１０４を介しプリンタ１０２へ印刷を行うために指定するプリントキューを再登録する。この時、プリンタドライバ１０４が他のアプリケーションによって使用中である場合の処理は、実施例１と同様である。以上で本処理が終了する。
【００４７】
図８に示した処理によりユーザは、カラープロファイル記憶領域１０６に格納されている任意のカラープロファイルを、図９（ａ）で示した表示画面で設定される印刷条件に対応付けて、プリンタドライバ構成ファイル１０７に反映することができる。よって、ユーザがＣＭＭとしてＯＳ提供ＣＭＭ１０５ａを選択した場合でも、任意のカラープロファイルを用いて色変換処理を実行させることができる。
【００４８】
［実施例３］
本実施例では、カラープロファイル設定更新制御部１０９の機能がプリンタドライバ１０４内で動作するものとする。図１で示した他の構成については、実施例１と同様に備えるものとする。
【００４９】
本実施例において、新たなカラープロファイルの作成は、上述した実施例と同様に、中央処理装置２０１が、メディア管理アプリケーション１１０を実行することで行うことが出来る。以下、ユーザが、メディア管理アプリケーション１１０を用い、新たなカラープロファイルをカラープロファイル記憶領域１０６に登録した場合を例に説明する。ここでは、登録した新たなカラープロファイルの、ファイル名は”ＭｙＰｒｏｆｉｌｅ３.ｉｃｃ”、名称は” Ｍｙ  Ｐｒｅｍｉｕｍ  Ｇｌｏｓｓｙ  ６００ｄｐｉ  Ｐｒｏｆｉｌｅ”であるものとする。このように、新たなカラープロファイルを登録したのみの段階では、プリンタドライバ構成ファイル１０７の内容は更新されておらず、図４（ａ）に示すようなデフォルトの情報が記憶されている。その後、ユーザは、自身が作成した画像を出力するために、現在使用しているアプリケーションが持つメニュー等から印刷指示を行い、図４（ａ）に示す印刷設定ダイアログを起動する。
【００５０】
図４（ａ）に示す印刷ダイアログで、ユーザが例えば用紙の種類コンボボックス４０２で用紙の種類を選択し、印刷品質コンボボックス４０３で印刷品位を選択する。次にユーザが、４０１の印刷設定メニューで“カラーマッチング”を選択し、図４（ｂ）に示すダイアログで、利用するＣＭＭコンボボックス４０６で“ＯＳ提供ＣＭＭ”を選択し、プロファイルコンボボックス４０７で、カラープロファイルを手動選択したとする。この状態で、ユーザがプリントボタン４０４を押下すると、以降プリンタドライバ１０４の印刷処理が開始され、プリンタドライバにおける、プリンタドライバ構成ファイル１０７の更新機能が起動される。
【００５１】
図１０は、本実施例において、プリンタドライバ構成ファイル１０７の更新に係るプリンタドライバ１０４による処理を説明するためのフローチャートである。本処理が開始されると、まずＳ３０１において、ユーザが所望する印刷条件およびカラープロファイルの情報を取得する。具体的には、上記のように図４（ａ）に示す印刷用のダイアログにおける各コンボボックスで設定された印刷条件の情報を取得する。ここでは、用紙の種類コンボボックス４０２で“プレミアム光沢紙”が選択され、印刷品質コンボボックス４０３で“６００ｄｐｉ”が選択されたとする。これにより、プリンタドライバは、“Ｍｅｄｉａ”キーとして“ＰｒｅｍｉｕｍＧｌｏｓｓｙ”、“Ｒｅｓｏｌｕｔｉｏｎ”キーとして“６００×６００ｄｐｉ”を取得することになる。また、ここでは、ユーザが、自身が作成したカラープロファイルを適用するために、図４（ｂ）に示すダイアログでは、利用するＣＭＭコンボボックス４０６で“ＯＳ提供ＣＭＭ”を選択する。更に、プロファイルコンボボックス４０７において、「手動」を選択する。この際、ダイアログでは図９（ｂ）で示したようなファイルリスト８０７が提示される。このファイルリストには、現時点でカラープロファイル記憶領域１０６に記憶されている全てのカラープロファイルのファイル名が列挙され、ユーザは、新たに作成した“ＭｙＰｒｏｆｉｌｅ３.ｉｃｃ”を選択したとする。以上により、Ｓ３０１では“ＰｒｅｍｉｕｍＧｌｏｓｓｙ”、“６００×６００ｄｐｉ”という印刷条件と、“ＭｙＰｒｏｆｉｌｅ３.ｉｃｃ”というカラープロファイル情報が取得される。
【００５２】
続くＳ３０２において、Ｓ３０１で取得した印刷条件とカラープロファイルの組み合わせが、現状のプリンタドライバ構成ファイル１０７に保存されているか否かを確認する。保存されている場合は、Ｓ３０６に進み、印刷処理を実行する。具体的には、Ｓ３０１で取得したカラープロファイルを用いて色変換処理を行った上で印刷データを作成し、既に登録されているプリントキューのもと、プリンタ１０２に印刷データを送信してカラー画像の印刷動作を行わせる。
【００５３】
一方、Ｓ３０２で取得した印刷条件とカラープロファイルの組み合わせが、図４（ａ）に示す現状のプリンタドライバ構成ファイルに保存されていない場合は、Ｓ３０３に進む。本例の様に、印刷条件とカラープロファイルが“ＰｒｅｍｉｕｍＧｌｏｓｓｙ”、“６００×６００ｄｐｉ”、“ＭｙＰｒｏｆｉｌｅ３.ｉｃｃ”の場合、このような組み合わせは、図４（ａ）に示す現状のプリンタドライバ構成ファイルに記載されていない。よって、本例の場合はＳ３０３に進む。
【００５４】
Ｓ３０３では、図１１のようなダイアログを表示し、プリンタドライバ構成ファイルの更新を行うか否かをユーザに選択してもらう。ユーザが「ＯＫ」ボタン８１０をクリックした場合は、プリンタドライバ構成ファイルの更新を行うためにＳ３０４に進む。一方、ユーザが「キャンセル」ボタン８１１をクリックした場合は、Ｓ３０６にジャンプする。そして、Ｓ３０１で取得したカラープロファイルを用いて色変換処理を行った上で印刷データを作成し、既に登録されているプリントキューのもと、プリンタ１０２に印刷データを送信して印刷動作実行する。
【００５５】
Ｓ３０４では、Ｓ３０１で取得した印刷条件とカラープロファイルの組み合わせを、プリンタドライバ構成ファイル１０７上に反映させこれを更新する。図３（ｄ）は、上記例の場合に、プリンタドライバ構成ファイル１０７が更新された結果の対応情報を示している。 ５行目に示す“ＰｒｅｍｉｕｍＧｌｏｓｓｙ”キーおよび“６００×６００ｄｐｉ”キーの組み合わせに対し、ファイル名“ＭｙＰｒｏｆｉｌｅ３.ｉｃｃ”と名称“Ｍｙ  Ｐｒｅｍｉｕｍ  Ｇｌｏｓｓｙ  ６００ｄｐｉ  Ｐｒｏｆｉｌｅ”が対応づけられている。
【００５６】
続くＳ３０５において、プリンタドライバ１０４は、更新後のプリンタドライバ構成ファイル１０７を用い、アプリケーション１０３がプリンタドライバ１０４を介しプリンタ１０２へ印刷を行うために指定するプリントキューを再登録ための指示を出す。このタイミングにおいて、プリンタドライバ１０４は起動中であるので、プリントキューを正常に再登録できない。よって、Ｓ３０５では、印刷動作が終了してプリンタドライバが開放された後にプリントキューが再登録されるように設定しておく。
【００５７】
更にＳ３０６に進み、印刷処理を実行する。具体的には、Ｓ３０５において更新処理が行われた場合、ＯＳ提供ＣＭＭ１０５ａが“ＭｙＰｒｏｆｉｌｅ３.ｉｃｃ”を用いて色変換処理を行った上で印刷データを作成する。そして、現状登録されているプリントキューのもと、プリンタ１０２に印刷データを送信して印刷動作を行わせる。以上で本処理が終了する。
【００５８】
以上の実施例によればユーザは、印刷を実行させるときにプリンタドライバ構成ファイル１０７に登録されていないカラープロファイルであっても、ＯＳ提供ＣＭＭ１０５ａにそのカラープロファイルを用いて色変換処理を実行させて印刷を行わせることができる。また、そのカラープロファイルがプリンタドライバ構成ファイル１０７に登録される。そのため、次回、同様の印刷条件で印刷を実行させる場合、図４（ｂ）に示した表示画面においてプロファイル「自動」を選択した場合でも、そのカラープロファイルを用いてＯＳ提供ＣＭＭ１０５ａに色変換処理を実行させることができる。
【００５９】
なお、図１の例では、カラープロファイル設定更新制御部１０９を、メディア管理アプリケーション１１０とは異なるモジュールとして説明したが、メディア管理アプリケーション１１０がカラープロファイル設定更新制御部１０９の機能を備えてもよい。
【００６０】
また、以上の３つの実施例では、ホストＰＣ１０１とこれに接続するプリンタ１０２によって構成される印刷システムを例に、ホストＰＣ１０１においてカラープロファイルの記憶や色変換処理の実行を行う形態で説明した。しかしながら、本発明はこのような形態に限定されるものではない。プリンタの内部でカラープロファイルを管理しても良いし、ネットワークで接続された他のデバイスによって、カラープロファイルの保存や色変換処理を行う形態とすることも出来る。
【００６１】
さらに、以上の実施例では、画像データに基づく画像の印刷のための色変換処理においてカラープロファイルが用いられる例を示した。しかしこれに限らず、表示のためにカラープロファイルが用いられる場合であってもよい。この場合、表示解像度等の表示条件を画像の出力条件として、当該表示条件に応じたカラープロファイルが用いられる。具体的には、オペレーティングシステム、または当該表示を行う表示装置に対応するデバイスドライバとしてのディスプレイドライバによる色変換処理が実行される。その際、表示条件に応じたカラープロファイルが用いられる。
【００６２】
また印刷や表示が実行される画像は、画像データに基づき作成される場合に限らず、テキストデータやグラフィック等のベクターデータに基づき作成される場合であってもよい。
【００６３】
さらに、以上の実施例では、カラープロファイルの更新の例として、新たなカラープロファイルをプリンタドライバ構成ファイル１０７に追加する例に説明したが、これに限らない。例えば、プリンタドライバ構成ファイル１０７において既に設定されている出力条件に対応するカラープロファイル、または既に登録されているカラープロファイルに対応する出力条件が変更される場合であってもよい。この場合でも、ＯＳ提供ＣＭＭ１０５ａが参照するカラープロファイルを更新することで、ＯＳ提供ＣＭＭ１０５ａ、ベンダー提供ＣＭＭ１０５ｂのそれぞれが参照するカラープロファイルの同期を取ることができる。
【００６４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００６５】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【００６６】
２０１      中央処理装置
２０２      記憶装置
２０５      補助記憶装置
【図１】
2015133661.tif 000003
【図２】
2015133661.tif 000004
【図３】
2015133661.tif 000005
【図４】
2015133661.tif 000006
【図５】
2015133661.tif 000007
【図６】
2015133661.tif 000008
【図７】
2015133661.tif 000009
【図８】
2015133661.tif 000010
【図９】
2015133661.tif 000011
【図１０】
2015133661.tif 000012
【図１１】
2015133661.tif 000013